(57)【要約】【課題】  本発明の課題は、簡易な構成で給紙トレイのスムーズな開閉動作ができる画像形成装置を提供することである。【解決手段】  本発明の画像形成装置は、画像形成装置本体１ａと、画像形成装置本体１ａに用紙を給紙する給紙トレイ７と、画像形成装置本体１ａに形成した略箱型のトレイ収納部１０とを備え、給紙トレイ７は引き出し自在になっており、トレイ収納部１０の引出口側底面１０ｃには給紙トレイ７の底面がトレイ収納部１０の底面に擦れるのを防止する擦れ防止部９を設けている。【選択図】      図１
2007062937.tif 000002
【特許請求の範囲】
【請求項１】
画像形成装置本体と、画像形成装置本体に用紙を給紙する給紙トレイと、画像形成装置本体に形成した略箱型のトレイ収納部とを備え、給紙トレイは引き出し自在になっており、トレイ収納部の引出口側底面には給紙トレイの底面がトレイ収納部の底面に擦れるのを防止する擦れ防止部を設けていることを特徴とする画像形成装置。
【請求項２】
擦れ防止部はローラであり、ローラ側面が給紙トレイの底面に接触しつつ回転することを特徴とする請求項１に記載の画像形成装置。
【請求項３】
トレイ収納部の底面にはローラを配置する孔が形成されており、ローラ側面がトレイ収納部の底面から突設していることを特徴とする請求項２に記載の画像形成装置。
【請求項４】
ローラは給紙トレイの引き出し方向に沿って複数設けており、ローラはトレイ収納部の底面上に設けていることを特徴とする請求項２に記載の画像形成装置。
【請求項５】
擦れ防止部は断面が略扇形状の揺動部材であり、揺動部材はトレイ収納部に軸支した頂点と給紙トレイの底面に当接する曲面とを有し、給紙トレイの引き出し時には給紙トレイの底面が曲面に接触摩擦して揺動部材がトレイの引き出し方向に揺動すると共に、給紙トレイの収納時には給紙トレイの底面が曲面に接触摩擦して揺動部材がトレイの収納方向に揺動することを特徴とする請求項１に記載の画像形成装置。
【発明の詳細な説明】
【技術分野】
【０００１】
本発明は、複写機、プリンタ等の画像形成装置に関する。
【背景技術】
【０００２】
図１３には従来の画像形成装置１００が開示されており、画像形成装置本体に形成したトレイ収納部１０３と、トレイ収納部１０３に対して引き出し及び収納自在な給紙トレイ１０１とを備えている。係る画像形成装置１００ではトレイ収納部１０３の両サイドにスライドレール１０５を設け、給紙トレイ１０１のスムーズな開閉動作ができるようにしている。
【０００３】
しかし、上述の画像形成装置１００においては、給紙トレイ１０１を手前に引き出した際に、トレイ内の用紙の重みやトレイ本体の重みによってトレイが垂れ下がってしまう。そして図１５に示すように、給紙トレイ１０１の底面１０１ａがトレイ収納部１０３の引出口側底面１００ａに接触し、そのままトレイを引き出すと擦れて異音が発生したり、開閉動作が重くなったり等の不具合が生じるという問題があった。
【０００４】
一方、特許文献１に記載の従来技術は、画像形成装置本体に形成したトレイ収納部と、給紙トレイと、トレイ収納部の両サイドに設けたスライドレールとを備え、スライドレールの手前側の位置にガイドコロを設けて、給紙トレイを手前に引き出した際に、ガイドコロで給紙トレイを支えて、トレイが垂れ下がるのを防止している。
【０００５】
【特許文献１】特開２００４−２６９０６４号公報
【発明の開示】
【発明が解決しようとする課題】
【０００６】
しかしながら、特許文献１記載の従来技術では、トレイ収納部の両サイドのスライドレールにガイドコロを設けてあるので、トレイ収納部の両側面と画像形成装置本体との間にガイドコロを設けるためのスペースが別途必要となると共にスライドレールにコロを取り付けるために構成が複雑になるという問題があった。
【０００７】
本発明は、簡易な構成で給紙トレイのスムーズな開閉動作ができる画像形成装置を提供することを目的としている。
【課題を解決するための手段】
【０００８】
前記課題を解決するために、請求項１に記載された発明は、画像形成装置本体と、画像形成装置本体に用紙を給紙する給紙トレイと、画像形成装置本体に形成した略箱型のトレイ収納部とを備え、給紙トレイは引き出し自在になっており、トレイ収納部の引出口側底面には給紙トレイの底面がトレイ収納部の底面に擦れるのを防止する擦れ防止部を設けていることを特徴とする。
【０００９】
請求項２に記載された発明は、請求項１に記載の発明において、擦れ防止部はローラであり、ローラ側面が給紙トレイの底面に接触しつつ回転することを特徴とする。
【００１０】
請求項３に記載された発明は、請求項２に記載された発明において、トレイ収納部の底面にはローラを配置する孔が形成されており、ローラ側面がトレイ収納部の底面から突設していることを特徴とする。
【００１１】
請求項４に記載された発明は、請求項２に記載された発明において、ローラは給紙トレイの引き出し方向に沿って複数設けており、ローラはトレイ収納部の底面上に設けていることを特徴とする。
【００１２】
請求項５に記載された発明は、請求項１に記載の発明において、擦れ防止部は断面が略扇形状の揺動部材であり、揺動部材はトレイ収納部に軸支した頂点と給紙トレイの底面に当接する曲面とを有し、給紙トレイの引き出し時には給紙トレイの底面が曲面に接触摩擦して揺動部材がトレイの引き出し方向に揺動すると共に、給紙トレイの収納時には給紙トレイの底面が曲面に接触摩擦して揺動部材がトレイの収納方向に揺動することを特徴とする。
【発明の効果】
【００１３】
本発明によれば、トレイ収納部の引出口側底面には擦れ防止部を設けているので、給紙トレイを引き出す際に、給紙トレイの底面がトレイ収納部に接触し難く、給紙トレイの底面とトレイ収納部とが擦れて異音が発生したり、開閉動作が重くなったり等の不具合が生じることを防止でき、給紙トレイのスムーズな開閉動作ができる。擦れ防止部をトレイ収納部の底面に設けてあるので、従来技術のようにスライドレールにコロを取り付ける必要がなく構成が簡易である。
【発明を実施するための最良の形態】
【００１４】
以下に、添付図面を参照して、本発明の実施の形態を詳細に説明する。図１は図３に示す画像形成装置の要部（一点鎖線で囲んだ部分）を抜き出して示す正面図、図２は給紙トレイがトレイ収納部の所定位置（収納位置と引出位置）にあるときの給紙トレイと擦れ防止部とを示す断面図、図３は第１実施の形態に係る画像形成装置の斜視図である。
【００１５】
図３に示すように画像形成装置１は複写機であり、装置本体１ａと、装置本体１ａの上部に設けた画像読取部１ｂとから構成されている。画像読取部１ｂで読取った画像データは静電潜像として感光体ドラムに書き込まれ、感光体ドラムに書き込まれた静電潜像は現像化された後、搬送された用紙に転写画像として転写される。そして、定着手段により転写画像が定着された後、排紙部３から機外に排出される。
【００１６】
装置本体１ａの下部には給紙部５が設けられており、給紙部５は用紙を収納する複数の給紙トレイ７と、画像形成装置本体１ａに形成されたトレイ収納部１０とを備える。給紙トレイ７はトレイ収納部１０に対して引き出し自在であり、用紙がなくなったときやジャム紙が発生した場合には、給紙トレイ７を手前側に引き出して用紙の補充や、ジャム紙を取り除くようにしている。また、トレイ収納部１０の両サイドには給紙トレイ７の開閉を案内するガイドレール１０ｂが設けられており、給紙トレイ７の両側にはガイドレール１０ｂにガイドされるガイド部材７ｂが設けられている。
【００１７】
トレイ収納部１０の引出口側底面１０ｃには給紙トレイ７を引き出す際にトレイ収納部１０の底面１０ａと給紙トレイ７の底面７ａとの擦れを防止する擦れ防止部９を設けている。擦れ防止部９はローラであり、ローラ９は引出口側底面１０ｃの略中央に設けている。
【００１８】
トレイ収納部１０の引出口側底面１０ｃには孔１０ｂが形成されており、孔１０ｂにローラ９が取り付けられるようになっている。ローラ９は円筒状のローラ本体９ａとローラ本体９ａに取り付けられたローラ軸９ｂと、ローラ軸９ｂを軸支する軸受け９ｃとからなり、ローラ９を凹部１０ｂに取り付けた際にはローラ側面がトレイ収納部１０の底面１０ａから突設している。
【００１９】
次に、本実施の形態に係る画像形成装置の作用及び効果について説明する。給紙トレイ７をトレイ収納部１０に収納した状態では、図２に示すように給紙トレイ７は２点鎖線で示す位置にあり、給紙トレイ７をトレイ収納部１０から引き出していくと給紙トレイの重量や用紙の重みにより給紙トレイ７が垂れ下がってくる。本実施の形態では、給紙トレイ７の引き出しにより給紙トレイ７が垂れ下がってくると、図２に示すようにローラ９が給紙トレイ７の底面７ａに接触しつつ回転する。
【００２０】
このように、給紙トレイ７の引き出し動作により、給紙トレイ７が垂れ下がるような場合でも、ローラ９が給紙トレイ７を受けることができるので、給紙トレイ７を引き出す際に、給紙トレイ７の底面７ａがトレイ収納部１０の底面１０ａに接触し難く、給紙トレイ７の底面７ａとトレイ収納部１０の底面１０ａとが擦れて異音が発生したり、開閉動作が重くなったり等の不具合が生じることを防止できる。
【００２１】
ローラ９は引出口側底面１０ｃの略中央に設けているので、従来技術のようにトレイ収納部１０の両サイドのスライドレールにガイドコロを設ける場合に比べ、給紙トレイ７の両サイドにガイドコロを設けるスペースが不要であり、装置の小型化を図ることができる。
【００２２】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。図４〜図６は第２実施の形態に係る画像形成装置を説明する図である。第２実施の形態ではトレイ収納部１０の底面１０ａにトレイの引き出し方向に沿って複数のローラ９を設けており、ローラ９がトレイ収納部１０の底面１０ａと給紙トレイ７の底面との間に設けている点が第１実施の形態と異なる。本実施の形態で用いられる各ローラ９の直径は第１実施の形態で用いるローラ９よりも小径のものを用いている。
【００２３】
トレイ収納部１０の引出口側底面１０ｃには略Ｌ字状の支持ブラケット９ｄが固定されており、支持ブラケット９ｄに形成された軸穴９ｆにローラ軸９ｂが軸支されている。
【００２４】
本実施の形態では、トレイの引き出しの際に複数のローラ９で給紙トレイ７を受けているので、１つのローラで受ける場合に比べて各ローラ９に係る負荷が少なくてすみ、ローラ自体の損傷やローラ９を支持する支持部材の損傷を防止することができる。
【００２５】
各ローラ９はトレイ収納部１０の底面１０ａから突設して設けているので、ローラ９を収納するための孔をトレイ収納部１０に形成する必要がなく、トレイ収納部１０の成形が簡易である。また、トレイ収納部１０に支持ブラケット９を取り付けるだけでよいので、後付けが簡単である。
【００２６】
次に第３実施の形態について説明する。図７〜図１１は第３実施の形態に係る画像形成装置を説明する図である。第３実施の形態では、トレイ収納部１０の底面１０ａと給紙トレイ７の底面７ａとの間に縦断面が略扇形状の揺動部材９を設けている。揺動部材９はトレイ収納部に軸支した頂点部９ｂと、曲面部９ｉとを有している。揺動部材本体９ａはトレイの引き出し方向に沿って揺動自在になっている。また、揺動部材本体９ａは表面摩擦が小さい部材であり、給紙トレイ７が揺動部材本体９ａと接触摩擦する際にすべり易くなっている。
【００２７】
図９に示すように、収納トレイ１０内に収納された位置から給紙トレイ７を引き出していくと、給紙トレイ７は垂れ下がった状態となり、給紙トレイ７の底面７ａが揺動部材本体の曲線部９ｉに接触する。給紙トレイ７をそのまま引き出していくと、給紙トレイ７との摩擦接触により揺動部材本体９ａは図９中矢印Ａ方向に揺動し、給紙トレイ７が最大限引き出された位置において、揺動部材本体９ａの直線部９ｇがトレイ収納部１０の底面１０ａに接触する。一方、給紙トレイ７を収納する際において、給紙トレイ７が最大限引き出された位置では給紙トレイ７の底面７ａが垂れ下がって揺動部材本体９ａの曲線部９ｉに接触している。給紙トレイ７を押すと、給紙トレイ７の底面７ａと揺動部材本体９ａとの摩擦接触によって、揺動部材本体９ａが図１０中矢印Ｂ方向に揺動し、揺動部材本体９ａの直線部９ｈがトレイ収納部１０の底面１０ａに接触する。
【００２８】
本実施の形態では、トレイ収納部１０の底面１０ａと給紙トレイ７の底面７ａとの間に縦断面が略扇形状の揺動部材９を設けているので、揺動部材９を収納するための孔をトレイ収納部１０に形成する必要がなく、トレイ収納部１０の成形が簡易であると共に筐体強度の低下を防止できる。また、トレイ収納部１０に支持ブラケット９を取り付けるだけでよいので、後付けが簡単である。
【００２９】
なお、本発明は上述した実施の形態に限定されず、その要旨を逸脱しない範囲で種々の変形が可能である。上述の第１〜第３実施の形態において、図１２に示すように給紙トレイ７の底面７ａに突部７ｂを設けてあっても良い。この場合、給紙トレイ７の底面７ａとローラ９等との接触面積が小さくなるため、給紙トレイ７の底面７ａとローラ９とのすべりがよくなり、給紙トレイ７のスムーズな開閉が可能である。
【００３０】
上述の第１〜第３実施の形態において、トレイ収納部１０の底面１０ａは枠状に組んだフレームであっても良く、この場合、擦れ防止部９を引出口側のフレームに設けてあっても良い。
【図面の簡単な説明】
【００３１】
【図１】図３に示す画像形成装置の要部を抜き出して示す正面図である。
【図２】給紙トレイがトレイ収納部の所定位置（収納位置と引出位置）にあるときの給紙トレイと擦れ防止部とを示す断面図である。
【図３】第１実施の形態に係る画像形成装置の斜視図である。
【図４】図６に示す画像形成装置の要部を抜き出して示す正面図である。
【図５】給紙トレイがトレイ収納部の所定位置（収納位置と引出位置）にあるときの給紙トレイと擦れ防止部とを示す断面図である。
【図６】第２実施の形態に係る画像形成装置の斜視図である。
【図７】図９に示す画像形成装置の要部を抜き出して示す正面図である。
【図８】給紙トレイがトレイ収納部の収納位置にあるときの給紙トレイと擦れ防止部とを示す断面図である。
【図９】給紙トレイをトレイ収納部から引き出す際の給紙トレイと擦れ防止部とを示す断面図である。
【図１０】給紙トレイをトレイ収納部に収納する際の給紙トレイと擦れ防止部とを示す断面図である。
【図１１】第３実施の形態に係る画像形成装置の斜視図である。
【図１２】変形例に係る画像形成装置の要部を示す正面図である。
【図１３】従来例に係る画像形成装置を示し、（ａ）は画像形成装置全体を示す斜視図、（ｂ）は給紙トレイの引き出し時を示す縦断面図である。
【符号の説明】
【００３２】
１          画像形成装置
７          給紙トレイ
９          擦れ防止部
１０        トレイ収納部
１０ｂ      孔
１０ｃ      引出口側底面
【図１】
2007062937.tif 000003
【図２】
2007062937.tif 000004
【図３】
2007062937.tif 000005
【図４】
2007062937.tif 000006
【図５】
2007062937.tif 000007
【図６】
2007062937.tif 000008
【図７】
2007062937.tif 000009
【図８】
2007062937.tif 000010
【図９】
2007062937.tif 000011
【図１０】
2007062937.tif 000012
【図１１】
2007062937.tif 000013
【図１２】
2007062937.tif 000014
【図１３】
2007062937.tif 000015